【手続補正書】
【提出日】平成17年7月21日(2005.7.21)
【手続補正１】
【補正対象書類名】明細書
【補正対象項目名】特許請求の範囲
【補正方法】変更
【補正の内容】
【特許請求の範囲】
【請求項１】
外周面に複数の図柄が描かれたドラムを機本体内に回転可能に複数並設し、機本体の前面側に前記各ドラムを外部より見られる観察窓を開設して成り、前記各ドラムが停止した際の停止態様が、予め定めた有効なライン上に特定の図柄が揃う当選パターンのとき、遊技者に有利な特別遊技状態で遊技を行わせる制御部を備えたスロットマシンにおいて、
前記観察窓の上部に、該観察窓にこれから表れる各ドラムの上流側の図柄配列を視認可能な確認窓を開設し、
前記確認窓から前記図柄配列を視認可能な状態と視認できない状態とに開閉可能なシャッタ手段を有し、
前記制御部は、前記当選パターンが出現し得るように設定された当選可能状態と、前記当選パターンが出現しないように設定された当選不可状態とに遊技状態を切り替え可能であり、
前記制御部は、該制御部が遊技状態を前記当選不可状態から前記当選可能状態に切り替えた場合に、前記シャッタ手段を通常の閉じた状態から開かせることを特徴とするスロットマシン。
【請求項２】
外周面に複数の図柄が描かれたドラムを機本体内に回転可能に複数並設し、機本体の前面側に前記各ドラムを外部より見られる観察窓を開設して成り、前記各ドラムが停止した際の停止態様が、予め定めた有効なライン上に特定の図柄が揃う当選パターンのとき、遊技者に有利な特別遊技状態で遊技を行わせる制御部を備えたスロットマシンにおいて、
前記観察窓の下部に、該観察窓にさきほど表れた各ドラムの下流側の図柄配列を視認可能な確認窓を開設し、
前記確認窓から前記図柄配列を視認可能な状態と視認できない状態とに開閉可能なシャッタ手段を有し、
前記制御部は、前記当選パターンが出現し得るように設定された当選可能状態と、前記当選パターンが出現しないように設定された当選不可状態とに遊技状態を切り替え可能であり、
前記制御部は、該制御部が遊技状態を前記当選不可状態から前記当選可能状態に切り替えた場合に、前記シャッタ手段を通常の閉じた状態から開かせることを特徴とするスロットマシン。
【請求項３】
外周面に複数の図柄が描かれたドラムを機本体内に回転可能に複数並設し、機本体の前面側に前記各ドラムを外部より見られる観察窓を開設して成り、前記各ドラムが停止した際の停止態様が、予め定めた有効なライン上に特定の図柄が揃う当選パターンのとき、遊技者に有利な特別遊技状態で遊技を行わせる制御部を備えたスロットマシンにおいて、
前記観察窓の上部に、該観察窓にこれから表れる各ドラムの上流側の図柄配列を視認可能な確認窓を開設すると共に、前記観察窓の下部に、該観察窓にさきほど表れた各ドラムの下流側の図柄配列を視認可能な確認窓を開設し、
前記確認窓から前記図柄配列を視認可能な状態と視認できない状態とに開閉可能なシャッタ手段を有し、
前記制御部は、前記当選パターンが出現し得るように設定された当選可能状態と、前記当選パターンが出現しないように設定された当選不可状態とに遊技状態を切り替え可能であり、
前記制御部は、該制御部が遊技状態を前記当選不可状態から前記当選可能状態に切り替えた場合に、前記シャッタ手段を通常の閉じた状態から開かせることを特徴とするスロットマシン。
【請求項４】
前記確認窓から覗ける各ドラムの所定部位に光を照射する照明手段と、前記照明手段を点灯および消灯を切り替える照明切換部と、
を有し、
前記照明切換部は、前記制御部より遊技状態を前記当選不可状態から前記当選可能状態に切り替えた場合に、照明手段を消灯した状態から点灯させることをことを特徴とする請求項１，２または３記載のスロットマシン。
【手続補正２】
【補正対象書類名】明細書
【補正対象項目名】０００５
【補正方法】変更
【補正の内容】
【０００５】
通常、スロットマシンは、当選パターンが有効ライン上に出現し得る当選可能状態と、有効ライン上に当選パターンが出現しないかあるいは出現確率の低い当選不可状態の各遊技状態を有しており、予め定めた確率に従って、当選可能状態が現れるように設定されている。
【手続補正３】
【補正対象書類名】明細書
【補正対象項目名】０００９
【補正方法】変更
【補正の内容】
【０００９】
【発明が解決しようとする課題】
しかしながら、前述したような従来の技術では、遊技者が目押しを行う際に基準になる目押し用図柄（当選パターン図柄）が大きめに描かれていても、回っている各ドラム上の図柄であることから、特に初心者等は、限られた観察窓内だけでは目押し用図柄（当選パターン図柄）を他の図柄から確実に区別することが困難であった。
【手続補正４】
【補正対象書類名】明細書
【補正対象項目名】００１１
【補正方法】変更
【補正の内容】
【００１１】
ところで、前記目押し用図柄（当選パターンの図柄）の前後に並ぶ図柄は予め定まったものであるため、目押し用図柄（当選パターン図柄）のみならずその前後の図柄配列を覚えることにより、停止ボタンを押下するタイミングを判断することも可能となる。
【手続補正５】
【補正対象書類名】明細書
【補正対象項目名】００１３
【補正方法】変更
【補正の内容】
【００１３】
【課題を解決するための手段】
前述した目的を達成するための本発明の要旨とするところは、次の各項の発明に存する。
［１］外周面に複数の図柄が描かれたドラム（３０ａ〜３０ｃ）を機本体内に回転可能に複数並設し、機本体の前面側に前記各ドラム（３０ａ〜３０ｃ）を外部より見られる観察窓（１５ａ〜１５ｃ）を開設して成り、前記各ドラム（３０ａ〜３０ｃ）が停止した際の停止態様が、予め定めた有効なライン上に特定の図柄が揃う当選パターンのとき、遊技者に有利な特別遊技状態で遊技を行わせる制御部（４０）を備えたスロットマシン（１０）において、
前記観察窓（１５ａ〜１５ｃ）の上部に、該観察窓（１５ａ〜１５ｃ）にこれから表れる各ドラム（３０ａ〜３０ｃ）の上流側の図柄配列を視認可能な確認窓（７０）を開設し、
前記確認窓（７０）から前記図柄配列を視認可能な状態と視認できない状態とに開閉可能なシャッタ手段（８０）を有し、
前記制御部（４０）は、前記当選パターンが出現し得るように設定された当選可能状態と、前記当選パターンが出現しないように設定された当選不可状態とに遊技状態を切り替え可能であり、
前記制御部（４０）は、該制御部（４０）が遊技状態を前記当選不可状態から前記当選可能状態に切り替えた場合に、前記シャッタ手段（８０）を通常の閉じた状態から開かせることを特徴とするスロットマシン（１０）。
【手続補正６】
【補正対象書類名】明細書
【補正対象項目名】００１４
【補正方法】変更
【補正の内容】
【００１４】
［２］外周面に複数の図柄が描かれたドラム（３０ａ〜３０ｃ）を機本体内に回転可能に複数並設し、機本体の前面側に前記各ドラム（３０ａ〜３０ｃ）を外部より見られる観察窓（１５ａ〜１５ｃ）を開設して成り、前記各ドラム（３０ａ〜３０ｃ）が停止した際の停止態様が、予め定めた有効なライン上に特定の図柄が揃う当選パターンのとき、遊技者に有利な特別遊技状態で遊技を行わせる制御部（４０）を備えたスロットマシン（１０）において、
前記観察窓（１５ａ〜１５ｃ）の下部に、該観察窓（１５ａ〜１５ｃ）にさきほど表れた各ドラム（３０ａ〜３０ｃ）の下流側の図柄配列を視認可能な確認窓（７２）を開設し、
前記確認窓（７２）から前記図柄配列を視認可能な状態と視認できない状態とに開閉可能なシャッタ手段（８０）を有し、
前記制御部（４０）は、前記当選パターンが出現し得るように設定された当選可能状態と、前記当選パターンが出現しないように設定された当選不可状態とに遊技状態を切り替え可能であり、
前記制御部（４０）は、該制御部（４０）が遊技状態を前記当選不可状態から前記当選可能状態に切り替えた場合に前記シャッタ手段（８０）を通常の閉じた状態から開かせることを特徴とするスロットマシン（１０）。
【手続補正７】
【補正対象書類名】明細書
【補正対象項目名】００１５
【補正方法】変更
【補正の内容】
【００１５】
［３］外周面に複数の図柄が描かれたドラム（３０ａ〜３０ｃ）を機本体内に回転可能に複数並設し、機本体の前面側に前記各ドラム（３０ａ〜３０ｃ）を外部より見られる観察窓（１５ａ〜１５ｃ）を開設して成り、前記各ドラム（３０ａ〜３０ｃ）が停止した際の停止態様が、予め定めた有効なライン上に特定の図柄が揃う当選パターンのとき、遊技者に有利な特別遊技状態で遊技を行わせる制御部（４０）を備えたスロットマシン（１０）において、
前記観察窓（１５ａ〜１５ｃ）の上部に、該観察窓（１５ａ〜１５ｃ）にこれから表れる各ドラム（３０ａ〜３０ｃ）の上流側の図柄配列を視認可能な確認窓（７０）を開設すると共に、前記観察窓（７０）の下部に、該観察窓にさきほど表れた各ドラムの下流側の図柄配列を視認可能な確認窓（７２）を開設し、
前記確認窓（７０，７２）から前記図柄配列を視認可能な状態と視認できない状態とに開閉可能なシャッタ手段（８０）を有し、
前記制御部（４０）は、前記当選パターンが出現し得るように設定された当選可能状態と、前記当選パターンが出現しないように設定された当選不可状態とに遊技状態を切り替え可能であり、
前記制御部（４０）は、該制御部（４０）が遊技状態を前記当選不可状態から前記当選可能状態に切り替えた場合に、前記シャッタ手段（８０）を通常の閉じた状態から開かせることを特徴とするスロットマシン（１０）。
【手続補正８】
【補正対象書類名】明細書
【補正対象項目名】００１６
【補正方法】変更
【補正の内容】
【００１６】
［４］前記確認窓（７０，７２，７３ａ〜７３ｃ）から覗ける各ドラム（３０ａ〜３０ｃ）の所定部位に光を照射する照明手段（６２）と、前記照明手段（６２）を点灯および消灯を切り替える照明切換部（５３）と、
を有し、
前記照明切換部（５３）は、前記制御部（４０）より遊技状態を前記当選不可状態から前記当選可能状態に切り替えた場合に、照明手段を消灯した状態から点灯させることをことを特徴とする［１］，［２］または［３］記載のスロットマシン（１０）。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００３３
【補正方法】変更
【補正の内容】
【００３３】
箱形筐体１１内には、各観察窓１５ａ〜１５ｃの裏側に位置するように、円筒形状を成した第１〜第３のドラム３０ａ，３０ｂ，３０ｃが同軸状に隣接して横方向に並設され、回動可能に支持されている。各ドラム３０ａ〜３０ｃの外周面には、「チェリー」、「レモン」、「ベル」等の絵や、数字の「７」、アルファベットの「ＢＡＲ」等の文字から成る図柄が略一定間隔に描かれている。ここで数字の「７」は、目押しを行う際に遊技者が基準の図柄にする目押し用図柄であるとともに当選パターンの図柄でもある。
【手続補正１６】
【補正対象書類名】明細書
【補正対象項目名】００５５
【補正方法】変更
【補正の内容】
【００５５】
遊技者は目押し用図柄（当選パターンの図柄）を狙って目押しを実行する際、目押し用図柄（当選パターンの図柄）の上流側の図柄配列を予め覚えておくことにより、各観察窓１５ａ〜１５ｃのみならず確認窓７０から、目押し用図柄（当選パターンの図柄）とその上流側の図柄配列を確認できたタイミングでストップボタン１２ａ〜１２ｃを押下する。それにより、確実かつ容易に目押しを行うことができ、メダルや時間を無駄にせず、初心者でもゲームを十分に楽しむことができる。
【手続補正１７】
【補正対象書類名】明細書
【補正対象項目名】００５６
【補正方法】変更
【補正の内容】
【００５６】
また、前記確認窓７０には拡大レンズ７１が装着してあるので、目押し用図柄（当選パターンの図柄）の上流側に連なる図柄配列をより良く見ることができる。従って、これらの図柄配列を基準にして目押し用図柄（当選パターンの図柄）を停止させるべく、適正なタイミングで第１〜第３のストップボタン１２ａ，１２ｂ，１２ｃを押下し、比較的容易に当選パターンの図柄が出るようにドラム３０ａ〜３０ｃを停止させることができる。当選パターンが出現した場合には、遊技状態設定部４３は、遊技状態を特別遊技状態に移行させ、ボーナスゲームを開始する。
【手続補正１８】
【補正対象書類名】明細書
【補正対象項目名】００６２
【補正方法】変更
【補正の内容】
【００６２】
このような本実施の形態によれば、各ドラム３０ａ〜３０ｃごとに目押し用図柄（当選パターンの図柄）に連なる図柄配列を明確に区別して視認することができる。また、確認窓７３ａ，７３ｂ，７３ｃは、前記観察窓１５ａ〜１５ｃの上部のみならず下部に設けてもよく、さらに上部および下部の両方に設けてもよい。なお、前記各種実施の形態と同種の部位には同一符号を付して重複した説明を省略する。
【手続補正１９】
【補正対象書類名】明細書
【補正対象項目名】００６８
【補正方法】変更
【補正の内容】
【００６８】
【発明の効果】
以上説明したように、本発明によれば、目押しの可能な当選可能状態に入ったとき等に、目押し用図柄（当選パターン図柄）に連なる図柄配列を確認窓から良く見えるようにしたので、これを目安に停止スイッチを押下すれば、容易に目押しを行うことができ、メダルや時間を無駄にせず、初心者でもゲームを十分に楽しむことができる。